(57)【特許請求の範囲】
【請求項１】
電線端部にそれぞれ接続されたプラス極又はマイナス極のバッテリーターミナルを、バッテリー本体の対応する極性のバッテリーポストにそれぞれ接続させるとともに、各バッテリーポストに螺合される螺合部材によって、各バッテリーターミナルをそれぞれ各バッテリーポストに固定するバッテリーターミナルの接続構造において、
前記バッテリー本体には、
プラス極及びマイナス極のバッテリーポストと、
バッテリー本体に一体又は別体に設けられ、各バッテリーポストをそれぞれ被覆するポスト保護カバーと、
各ポスト保護カバー間を移動可能に設けられた可動カバーとを備え、かつ、
各ポスト保護カバーにはそれぞれ、
プラス極又はマイナス極に専用の所要形状にそれぞれ形成され、対応する極性のバッテリーターミナルのみを嵌挿可能なターミナル用開口と、
バッテリーポストへの螺合部材の螺合作業を行うための作業用開口とが設けられ、また、
前記各バッテリーターミナルはそれぞれ、対応するターミナル用開口に嵌挿可能な所要形状に形成され、かつ、
各バッテリーターミナルにはそれぞれ、
ターミナル用開口への嵌挿方向先端に、バッテリーポストを嵌合されて電気的接続を得る接続用溝を備えており、
前記可動カバーは、マイナス極のバッテリーポストのポスト保護カバー側に移動された状態で、当該ポスト保護カバーのターミナル用開口及び作業用開口を閉塞させるとともに、プラス極のバッテリーポストのポスト保護カバーのターミナル用開口及び作業用開口を開放させ、またプラス極のバッテリーポストのポスト保護カバー側に移動された状態で、当該ポスト保護カバーの作業用開口を閉塞させるとともに、マイナス極のバッテリーポストのポスト保護カバーのターミナル用開口及び作業用開口を開放させることを特徴とするバッテリーターミナルの接続構造。
【請求項２】
バッテリー本体における各バッテリーポスト近傍にはそれぞれ、被係止部が設けられ、かつ、各バッテリーターミナルにおけるターミナル用開口への嵌挿方向先端にはそれぞれ、ポスト保護カバーの対応する各ターミナル用開口への各バッテリーターミナルの嵌挿に伴って、バッテリー本体の被係止部に係止される係止爪が設けられることを特徴とする請求項１記載のバッテリーターミナルの接続構造。
【請求項３】
前記各バッテリーターミナルにはそれぞれ、回転防止用リブが、ターミナル用開口への嵌挿方向に沿って突設されており、かつ、各バッテリーターミナルに対応する各ターミナル用開口にはそれぞれ、回転防止用リブを嵌合されるリブ用溝が設けられることを特徴とする請求項１又は２記載のバッテリーターミナルの接続構造。
【発明の詳細な説明】
【０００１】
【発明の属する技術分野】
本発明は、電線端部にそれぞれ接続されたプラス極又はマイナス極のバッテリーターミナルを、バッテリー本体の対応する極性のバッテリーポストにそれぞれ接続させるとともに、各バッテリーポストに螺合される螺合部材によって、各バッテリーターミナルをそれぞれ各バッテリーポストに固定するためのバッテリーターミナルの接続構造に関する。
【０００２】
【従来の技術】
図５及び図６を参照すると、従来、バッテリー６０のコード端子接続構造として、特開平４−２２０９４７号公報には、略角柱状に形成されたバッテリー端子６１のボルト取付孔６２に、コード端子６３のボルト挿通孔６４を挿通されたボルト６５を螺合させることにより、バッテリー端子６１にコード端子６３を接続・固定するものが記載されている。
【０００３】
コード端子６３は、バッテリー端子６１へのコード端子６３の接続に際して、平板部６３ａをバッテリー６０のバッテリー端子６１の結合面６１ａに係合されるとともに、平板部６３ａの縁部を折曲して形成された一対の突片６３ｂを、バッテリー端子６１の２つの側面６１ｂにそれぞれ係合される。
また、バッテリー端子６１のボルト取付孔６２及びコード端子６３のボルト挿通孔６４はそれぞれ、バッテリー端子６１の結合面６１ａの中心から偏心した位置に設けられる。
【０００４】
【発明が解決しようとする課題】
上述した従来のバッテリー６０のコード端子接続構造では、バッテリー端子６１の各側面６１ｂへのコード端子６３の各突片６３ｂの係合と、バッテリー端子６１の結合面６１ａ中心に対するボルト取付孔６２及びボルト挿通孔６４の偏心により、バッテリー端子６１へのコード端子６３の接続方向を規制している。したがって、接続方向の取り違え等による誤接続を防止することができる。
【０００５】
しかし、コード端子６３の極性の取り違えには全く対応しておらず、バッテリー端子６１とコード端子６３の極性違いによる誤接続を防止することができないという問題があった。
【０００６】
また、バッテリー端子６１へのコード端子６３の取付作業が煩雑であり、作業時間の短縮が困難であるという問題もあった。
すなわち、コード端子６３の取付作業に際して、作業者は、コード端子６３の平板部６３ａをバッテリー端子６１の結合面６１ａに係合させた状態で、コード端子６３のボルト挿通孔６４の位置を、バッテリー端子６１のボルト取付孔６２の位置に合わせ、この状態を片手で保持したまま、もう一方の手でボルト６５をボルト挿通孔６４を介してボルト取付孔６２に螺合させる必要がある。したがって作業者は、両手を使った煩雑な作業を強いられることとなり、多くの作業時間を要する。
【０００７】
更に、バッテリー端子６１のボルト取付孔６２に、コード端子６３のボルト挿通孔６４を挿通されたボルト６５を螺合するという、あまり一般的でないバッテリー６０の構成において、初めて十分な効果を発揮するものである。
【０００８】
したがって、最も一般的な構造のバッテリーには、そのまま適用することができない。
すなわち、広く一般に用いられているバッテリーとしては、バッテリー端子６１としてのバッテリーポストがバッテリー本体に予め立設されており、バッテリーポストに螺合される固定用ナットによって、コード端子６３としてのバッテリーターミナルを各バッテリーポストに固定する構成が挙げられる。
このような構成に、上述した従来のバッテリー６０のコード端子接続構造をそのまま適用することはできない。しかも例え適用できたとしても、作業性改善に顕著な効果は期待できない。
【０００９】
本発明は、極性違いによる誤接続を確実に防止することができるとともに、良好な作業性を確保することができ、更に極性による接続順を規制することができるバッテリーターミナルの接続構造を提供することを目的としている。
【００１０】
【課題を解決するための手段】
本発明の上記目的は、電線端部にそれぞれ接続されたプラス極又はマイナス極のバッテリーターミナルを、バッテリー本体の対応する極性のバッテリーポストにそれぞれ接続させるとともに、各バッテリーポストに螺合される螺合部材によって、各バッテリーターミナルをそれぞれ各バッテリーポストに固定するバッテリーターミナルの接続構造において、
前記バッテリー本体には、
プラス極及びマイナス極のバッテリーポストと、
バッテリー本体に一体又は別体に設けられ、各バッテリーポストをそれぞれ被覆するポスト保護カバーと、
各ポスト保護カバー間を移動可能に設けられた可動カバーとを備え、かつ、
各ポスト保護カバーにはそれぞれ、
プラス極又はマイナス極に専用の所要形状にそれぞれ形成され、対応する極性のバッテリーターミナルのみを嵌挿可能なターミナル用開口と、
バッテリーポストへの螺合部材の螺合作業を行うための作業用開口とが設けられ、また、
前記各バッテリーターミナルはそれぞれ、対応するターミナル用開口に嵌挿可能な所要形状に形成され、かつ、
各バッテリーターミナルにはそれぞれ、
ターミナル用開口への嵌挿方向先端に、バッテリーポストを嵌合されて電気的接続を得る接続用溝を備えており、
前記可動カバーは、マイナス極のバッテリーポストのポスト保護カバー側に移動された状態で、当該ポスト保護カバーのターミナル用開口及び作業用開口を閉塞させるとともに、プラス極のバッテリーポストのポスト保護カバーのターミナル用開口及び作業用開口を開放させ、またプラス極のバッテリーポストのポスト保護カバー側に移動された状態で、当該ポスト保護カバーの作業用開口を閉塞させるとともに、マイナス極のバッテリーポストのポスト保護カバーのターミナル用開口及び作業用開口を開放させることを特徴とするバッテリーターミナルの接続構造により達成される。
【００１１】
バッテリー本体における各バッテリーポスト近傍にはそれぞれ、被係止部が設けられ、かつ、各バッテリーターミナルにおけるターミナル用開口への嵌挿方向先端にはそれぞれ、ポスト保護カバーの対応する各ターミナル用開口への各バッテリーターミナルの嵌挿に伴って、バッテリー本体の被係止部に係止される係止爪が設けられることが好ましい。
【００１２】
前記各バッテリーターミナルにはそれぞれ、回転防止用リブが、ターミナル用開口への嵌挿方向に沿って突設されており、かつ、各バッテリーターミナルに対応する各ターミナル用開口にはそれぞれ、回転防止用リブを嵌合されるリブ用溝が設けられることが好ましい。
【００１３】
【作用】
請求項１記載のバッテリーターミナルの接続構造においては、最初に、可動カバーがマイナス極のバッテリーポストのポスト保護カバー側に移動された状態で、電線端部に接続されたプラス極のバッテリーターミナルが、対応するポスト保護カバーのターミナル用開口に嵌挿される。嵌挿されたバッテリーターミナルは、ターミナル用開口への嵌挿方向先端の接続用溝にバッテリーポストを嵌合され、電気的接続を得る。そして、ポスト保護カバーの作業用開口を介して、プラス極のバッテリーターミナルへの螺合部材の螺合作業が行われる。
【００１４】
この際、極性による接続順を誤って、マイナス極のバッテリーターミナルを、対応するポスト保護カバーのターミナル用開口に嵌挿させようとしても、可動カバーによって当該ポスト保護カバーのターミナル用開口及び作業用開口が閉塞されているため、嵌挿させることも、螺合部材の螺合作業を行うこともできない。
【００１５】
また可動カバーが、誤ってプラス極のバッテリーポストのポスト保護カバー側に移動された状態にあっても、マイナス極のバッテリーターミナルを誤って先に対応するターミナル用開口に嵌挿させると、プラス極のバッテリーターミナルへの螺合部材の螺合作業ができなくなる。
【００１６】
すなわちマイナス極のバッテリーターミナルを、対応するポスト保護カバーのターミナル用開口に嵌挿させることはできるものの、プラス極のバッテリーポストのポスト保護カバーの作業用開口が、可動カバーによって閉塞された状態にあるため、プラス極のバッテリーターミナルへの螺合部材の螺合作業を行うことはできない。
したがって、極性によるバッテリーターミナルの接続順の誤りが確実に防止される。
【００１７】
次に可動カバーが、プラス極のバッテリーポストのポスト保護カバー側に移動され、当該ポスト保護カバーの作業用開口を閉塞させるとともに、マイナス極のバッテリーポストのポスト保護カバーのターミナル用開口及び作業用開口を開放させる。
この状態で、電線端部に接続されたマイナス極のバッテリーターミナルが、対応するポスト保護カバーのターミナル用開口に嵌挿される。嵌挿されたバッテリーターミナルは、ターミナル用開口への嵌挿方向先端の接続用溝にバッテリーポストを嵌合され、電気的接続を得る。そして、ポスト保護カバーの作業用開口を介して、マイナス極のバッテリーターミナルへの螺合部材の螺合作業が行われる。
【００１８】
上述した過程においては、バッテリーターミナルを、対応しないターミナル用開口に誤って嵌挿させようとしても、形状の相違から嵌挿させることはできない。したがって、バッテリーターミナルを、極性を誤ってバッテリーポストに接続することはない。
また各バッテリーターミナルはそれぞれ、対応するターミナル用開口に嵌挿された状態では、作業中の脱落等の恐れがほとんどない。したがって、良好な作業性が確保される。
【００１９】
請求項２記載のバッテリーターミナルの接続構造においては、ポスト保護カバーの対応する各ターミナル用開口への各バッテリーターミナルの嵌挿に伴って、各バッテリーターミナルにおけるターミナル用開口への嵌合方向先端に設けられた係止爪が、バッテリー本体における各バッテリーポスト近傍に設けられた被係止部に係止される。
したがって、以後の作業中に、バッテリーターミナルがターミナル用開口から抜けてしまう等の不具合が確実に防止される。これにより良好な作業性が得られる。
【００２０】
請求項３記載のバッテリーターミナルの接続構造においては、各極のバッテリーターミナルが、対応するポスト保護カバーのターミナル用開口にそれぞれ嵌挿される際、各バッテリーターミナルにターミナル用開口への嵌挿方向に沿って突設された回転防止用リブがそれぞれ、ターミナル用開口のリブ用溝に嵌合される。
したがって、作業に伴う各バッテリーターミナルの例えば水平面内での不用意な回転等が防止される。これにより良好な作業性が得られる。
【００２１】
【発明の実施の形態】
以下図示実施形態により、本発明を説明する。
図１は、本発明の一実施形態であるバッテリーターミナルの接続構造のプラス極接続時の状態を示す要部斜視図であり、図２は、図１のバッテリーターミナルの接続構造のマイナス極接続時の状態を示す要部斜視図、図３は、図１のバッテリーターミナルの接続構造の極性による接続順を誤った時の状態を示す要部斜視図である。また図４は、図１のバッテリーターミナルの接続構造の被係止部及び係止爪を示す要部断面図である。
【００２２】
これらの図において、電線端部１０にそれぞれ接続されたプラス極又はマイナス極のバッテリーターミナル４０，４１は、バッテリー本体２０の対応する極性のバッテリーポスト２１，２２にそれぞれ接続されるとともに、バッテリーポスト２１，２２に螺合される固定用ナット２３の締め付けによって固定される。
【００２３】
バッテリー本体２０の図１中上部における対をなす図１中左右の角部２４，２５（以下、それぞれ左角部２４，右角部２５という）にはそれぞれ、図１中左右一対の凹部２６が形成される。
【００２４】
各凹部２６にはそれぞれ、プラス極及びマイナス極のバッテリーポスト２１，２２が、先端部（図１中上端部）をバッテリー本体２０の図１中上面から図１中上方に突出しないように設けられる。
また、各凹部２６におけるバッテリーポスト２１，２２の基端部にはそれぞれ、平面視略正方形状の被係止部２７が、周囲から段状に突出して設けられる。各被係止部２７はそれぞれ、後述するバッテリーターミナル４０，４１の係止爪４７を係止する。
【００２５】
更に、各凹部２６にはそれぞれ、各バッテリーポスト２１，２２を被覆するポスト保護カバー３０，３１が、バッテリー本体２０と一体又は別体に設けられる。
各ポスト保護カバー３０，３１はそれぞれ、略正方形状の上面３０ａ，３１ａの２辺の縁部からそれぞれ略直角に立設した２つの側面３０ｂ，３１ｂを有しており、合成樹脂等の絶縁性材料により形成される。各ポスト保護カバー３０，３１はそれぞれ、各凹部２６に嵌合された状態で、上面３０ａ，３１ａがバッテリー本体の図１中上面と略面一となるとともに、各側面３０ｂ，３１ｂがバッテリー本体の各外側壁と略面一となる。
【００２６】
各ポスト保護カバー３０，３１にはそれぞれ、ターミナル用開口３２，３３が設けられる。
【００２７】
ターミナル用開口３２，３３は、各ポスト保護カバー３０，３１にそれぞれ１個ずつ計２個、各ポスト保護カバー３０，３１の一側面３０ｂ，３１ｂにそれぞれ開口して設けられる。各ターミナル用開口３２，３３はそれぞれ、プラス極又はマイナス極に専用の所要形状に形成されており、対応する極性のバッテリーターミナル４０，４１のみを嵌挿可能である。
【００２８】
すなわち、図１中左側のポスト保護カバー３０に設けられたターミナル用開口３２はそれぞれ、後述する回転防止用リブ４３を嵌合されるリブ用溝３２ａを、長手方向右端部に図１中上方に向けて有し、例えばプラス極のバッテリーターミナル４０のみを嵌挿可能である。
また、図１中右側のポスト保護カバー３１に設けられたターミナル用開口３３はそれぞれ、回転防止用リブ４５を嵌合されるリブ用溝３３ａを、長手方向左端部に図１中上方に向けて有し、例えばマイナス極のバッテリーターミナル４１のみを嵌挿可能である。
【００２９】
各ポスト保護カバー３０，３１の上面３０ａ，３１ａにはそれぞれ、作業用開口３４が設けられる。
すなわち作業用開口３４は、各ポスト保護カバー３０，３１にそれぞれ１個ずつ計２個、平面視略円形状に形成される。各作業用開口３４はそれぞれ、バッテリーポスト２１，２２への固定用ナット２３の螺合作業を行うためのものであり、例えば固定用ナット２３を螺合のために回転させるツール等（図示しない）を挿通させる。
【００３０】
各ポスト保護カバー３０，３１間には、可動カバー３５が設けられる。
すなわち可動カバー３５は、合成樹脂等の絶縁性材料からなり、略長方形状の上面部３６の長手方向の１辺の縁部から、側面部３７を略直角に立設して構成される。可動カバー３５は、上面部３６及び側面部３７の内面をそれぞれ、各ポスト保護カバー３０，３１の上面３０ａ，３１ａ並びに側面３０ｂ，３１ｂ、及びバッテリー本体の上面における各ポスト保護カバー３０，３１間に摺動可能に当接されており、バッテリー本体２０の外側壁における各ポスト保護カバー３０，３１間に設けられたアリ溝２８に沿って、各ポスト保護カバー３０，３１間で摺動可能である。
【００３１】
可動カバー３５の側面部３７における図１中左半分下部には、切欠部３７ａが設けられる。切欠部３７ａは、可動カバー３５がプラス極のバッテリーポスト２１のポスト保護カバー３０側に移動された図２に示す状態で、当該ポスト保護カバー３０のターミナル用開口３２を閉塞しないためのものである。
【００３２】
可動カバー３５は、マイナス極のバッテリーポスト２２のポスト保護カバー３１側にアリ溝２８の一端部まで移動された図１に示す状態で、当該ポスト保護カバー３１のターミナル用開口３３及び作業用開口３４をそれぞれ、側面部３７及び上面部３６のそれぞれ図１中右半分の部分で閉塞させる。この状態では、可動カバー３５は、プラス極のバッテリーポスト２１のポスト保護カバー３０のターミナル用開口３２及び作業用開口３４を閉塞しない。
【００３３】
また可動カバー３５は、プラス極のバッテリーポスト２１のポスト保護カバー３０側にアリ溝２８の他端部まで移動された図２に示す状態では、当該ポスト保護カバー３０の作業用開口３４を、上面部３６の図１中左半分の部分で閉塞させる。この状態では、可動カバー３５は、マイナス極のバッテリーポスト２２のポスト保護カバー３１のターミナル用開口３３及び作業用開口３４を開放させる。
【００３４】
各バッテリーターミナル４０，４１はそれぞれ、対応するターミナル用開口３２，３３に嵌挿可能な所要形状に形成される。
【００３５】
すなわち、図１中左側の例えばプラス極のバッテリーターミナル４０（以下、プラス極のバッテリーターミナル４０という）は、平板部４２の図１中右縁部上面に、ポスト保護カバー３０のターミナル用開口３２のリブ用溝３２ａに対応する形状及び寸法の回転防止用リブ４３を、嵌挿方向に沿って突設される。これにより、プラス極のバッテリーターミナル４０は、ポスト保護カバー３０のターミナル用開口３２にのみ嵌挿可能で、ポスト保護カバー３１のターミナル用開口３３には嵌挿不能であるとともに、固定用ナット２３の回転に伴うバッテリーターミナル４０の水平面内での不用意な回転等を防止される。
【００３６】
また、図１中右側の例えばマイナス極のバッテリーターミナル４１（以下、マイナス極のバッテリーターミナル４１という）は、平板部４４の図１中左縁部上面に、ポスト保護カバー３１のターミナル用開口３３のリブ用溝３３ａに対応する形状及び寸法の回転防止用リブ４５を、嵌挿方向に沿って突設される。これにより、マイナス極のバッテリーターミナル４１は、ポスト保護カバー３１のターミナル用開口３３にのみ嵌挿可能で、ポスト保護カバー３０のターミナル用開口３２には嵌挿不能であるとともに、固定用ナット２３の回転に伴うバッテリーターミナル４１の水平面内での不用意な回転等を防止される。
【００３７】
各バッテリーターミナル４０，４１の平板部４２，４４にはそれぞれ、各ターミナル用開口３２，３３への各バッテリーターミナル４０，４１の嵌挿方向先端に、平面視Ｕ字状の接続用溝４６及び係止爪４７が設けられる。
【００３８】
接続用溝４６は、各ターミナル用開口３２，３３への各バッテリーターミナル４０，４１の嵌挿方向先端側に開口されており、対応するターミナル用開口３２，３３への各バッテリーターミナル４０，４１の嵌挿に伴って、バッテリーポスト２１，２２を嵌合されて電気的接続を得る。
また係止爪４７は、各バッテリーターミナル４０，４１の平板部４２，４４の図１中下面に突設されており、対応するターミナル用開口３２，３３への各バッテリーターミナル４０，４１の嵌挿に伴って、バッテリー本体２０の被係止部２７に引掛かるようにして係止される。
【００３９】
各バッテリーターミナル４０，４１はそれぞれ、対応するターミナル用開口３２，３３に嵌挿され、接続用溝４６にバッテリーポスト２１，２２を嵌合された状態で、バッテリー本体２０の作業用開口３４を介してバッテリーポスト２１，２２に螺合される固定用ナット２３によって、各バッテリーポスト２１，２２に固定される。
【００４０】
本実施形態の作用を説明する。
各バッテリーターミナル４０，４１をバッテリー本体２０の対応する極性のバッテリーポスト２１，２２に接続させる際、最初に、可動カバー３５がマイナス極のバッテリーポスト２２のポスト保護カバー３１側に移動された状態で、プラス極のバッテリーターミナル４０が、ポスト保護カバー３０のターミナル用開口３２に嵌挿される。
嵌挿されたバッテリーターミナル４０は、ターミナル用開口３２への嵌挿方向先端の接続用溝４６にバッテリーポスト２１を嵌合され、電気的に接続されるとともに、係止爪４７が、被係止部２７に引掛かるようにして係止される。そして、ポスト保護カバー３０の作業用開口３４を介して、プラス極のバッテリーターミナル４０への固定用ナット２３の螺合作業が行われる。
【００４１】
この際、極性による接続順を誤って、マイナス極のバッテリーターミナル４１を、対応するポスト保護カバー３１のターミナル用開口３３に嵌挿させようとしても、可動カバー３５によってポスト保護カバー３１のターミナル用開口３３及び作業用開口３４が閉塞された状態にあるため、嵌挿させることも、固定用ナット２３の螺合作業を行うこともできない。
【００４２】
また可動カバー３５が、誤ってプラス極のバッテリーポスト２１のポスト保護カバー３０側に移動された状態にあっても、マイナス極のバッテリーターミナル４１を誤って先にポスト保護カバー３１のターミナル用開口３３に嵌挿させると、プラス極のバッテリーターミナル４０への固定用ナット２３の螺合作業ができなくなる。
【００４３】
すなわち、マイナス極のバッテリーターミナル４１を、ポスト保護カバー３１のターミナル用開口３３に嵌挿させることはできるものの、ポスト保護カバー３０の作業用開口３４が、可動カバー３５によって閉塞された状態にあるため、プラス極のバッテリーターミナル４０への固定用ナット２３の螺合作業を行うことはできない。
したがって、極性によるバッテリーターミナル４０，４１の接続順が規制され、接続順の誤りが確実に防止される。
【００４４】
プラス極のバッテリーターミナル４０への固定用ナット２３の螺合作業としては、ポスト保護カバー３０の作業用開口３４を介して、バッテリーポスト２１に予め螺合されている固定用ナット２３にツールを掛け、固定用ナット２３を回転させて締め付ける。これにより、バッテリーターミナル４０をバッテリーポスト２１に固定する。
【００４５】
この際、バッテリーターミナル４０の係止爪４７が被係止部２７に係止されていることにより、固定用ナット２３による固定前に、バッテリーターミナル４０がターミナル用開口３２から抜けてしまう等の不具合を生じることはない。
また、バッテリーターミナル４０の回転防止用リブ４３がターミナル用開口３２のリブ用溝３２ａに嵌合されていることにより、固定用ナット２３の回転に伴うバッテリーターミナル４０の水平面内での不用意な回転等が防止される。
したがって、作業者はバッテリーターミナル４０を片手で保持する等の必要がなく、良好な作業性が得られる。
【００４６】
次に可動カバー３５が、プラス極のバッテリーポスト２１のポスト保護カバー３０側に移動され、ポスト保護カバー３０の作業用開口３４を閉塞させるとともに、ポスト保護カバー３１のターミナル用開口３３及び作業用開口３４を開放させる。
【００４７】
この状態で、マイナス極のバッテリーターミナル４１が、ポスト保護カバー３１のターミナル用開口３３に嵌挿される。嵌挿されたバッテリーターミナル４１は、ターミナル用開口３３への嵌挿方向先端の接続用溝４６にバッテリーポスト２２を嵌合され、電気的に接続されるとともに、係止爪４７が、被係止部２７に引掛かるようにして係止される。そして、ポスト保護カバー３１の作業用開口３４を介して、マイナス極のバッテリーターミナル４１への固定用ナット２３の螺合作業が、上述したプラス極の場合と同様に行われる。
【００４８】
上述した過程において、各極のバッテリーターミナル４０，４１を、誤ってポスト保護カバー３０，３１のターミナル用開口３２，３３に嵌挿させようとしても、形状の相違から嵌挿させることはできない。したがって、バッテリーターミナル４０，４１を、極性を誤ってバッテリーポスト２１，２２に接続することはない。
また、各極のバッテリーターミナル４０，４１は、ポスト保護カバー３０，３１のターミナル用開口３２，３３に嵌挿された状態では、脱落等の恐れがほとんどない。したがって、良好な作業性が確保される。
【００４９】
以上のように上記実施形態によれば、ポスト保護カバー３０，３１の各ターミナル用開口３２，３３はそれぞれ、対応する極性のバッテリーターミナル４０，４１のみを嵌挿可能であり、かつ、各バッテリーターミナル４０，４１はそれぞれ、対応するターミナル用開口３２，３３に嵌挿可能な所要形状に形成される。したがって、各バッテリーポスト２１，２２への各バッテリーターミナル４０，４１の極性違いによる誤接続を、確実に防止することができる。
【００５０】
また、ポスト保護カバー３０，３１の対応する各ターミナル用開口３２，３３への各バッテリーターミナル４０，４１の嵌挿に伴って、各バッテリーターミナル４０，４１におけるターミナル用開口３２，３３への嵌合方向先端に設けられた係止爪４７がそれぞれ、バッテリー本体２０の被係止部２７に係止される。
したがって、固定用ナット２３による固定前に、バッテリーターミナル４０，４１がターミナル用開口３２，３３から抜けてしまうことはなく、作業者は固定用ナット２３を螺合させるに当たって、バッテリーターミナル４０，４１を保持しておく必要がない。
【００５１】
更に、バッテリーターミナル４０，４１の回転防止用リブ４３，４５がターミナル用開口３２，３３のリブ用溝３２ａ，３３ａに嵌合される。したがって、固定用ナット２３の螺合による回転に伴うバッテリーターミナル４０，４１の水平面内での不用意な回転等を、確実に防止することができる。
これにより、バッテリーターミナル４０，４１接続時の良好な作業性を確保することができる。
【００５２】
加えて、可動カバー３５は、ポスト保護カバー３１側にアリ溝２８の一端部まで移動された図１に示す状態で、ポスト保護カバー３１のターミナル用開口３３及び作業用開口３４をそれぞれ、側面部３７及び上面部３６のそれぞれ図１中右半分の部分で閉塞させるとともに、ポスト保護カバー３０のターミナル用開口３２及び作業用開口３４を閉塞しない。また可動カバー３５は、ポスト保護カバー３０側にアリ溝２８の他端部まで移動された図２に示す状態で、ポスト保護カバー３０の作業用開口３４を、上面部３６の図１中左半分の部分で閉塞させるとともに、ポスト保護カバー３１のターミナル用開口３３及び作業用開口３４を開放させる。
【００５３】
したがって、マイナス極のバッテリーターミナル４１を誤って先にターミナル用開口３３に嵌挿させると、プラス極のバッテリーターミナル４０の固定用ナット２３の締め付けができなくなる。これにより、極性によるバッテリーターミナル４０，４１の接続順を規制することができ、作業時のショート及び感電等を確実に防止することができる。
【００５４】
なお上記実施形態では、略正方形状の上面３０ａ，３１ａの２辺の縁部からそれぞれ略直角に立設した２つの側面を有するポスト保護カバー３０，３１を、バッテリー本体２０の角部２４，２５に形成した各凹部２６にそれぞれ嵌合させ、各ポスト保護カバー３０，３１の外面がバッテリー本体２０の外壁面と面一となる構成としたが、これに限らない。
【００５５】
すなわち、バッテリー本体２０に凹部２６を形成せず、バッテリー本体２０の上面にバッテリーポストを突設し、略正方形状の上面の４辺の縁部からそれぞれ略直角に立設した４つの側面を有するポスト保護カバー（図示しない）を、バッテリーポストを囲うように被せる構成とすることもできる。
【００５６】
この場合、可動カバー（図示しない）は、略長方形状の上面部の長手方向の２辺の縁部から、２つの側面部をそれぞれ略直角に立設するように構成される。そして可動カバーは、上面部及び２つの側面部でポスト保護カバー３０，３１を跨ぐように配置され、ポスト保護カバー３０，３１の両側面に可動カバーの摺動方向に沿って一対設けられたアリ溝（図示しない）を介して、ポスト保護カバー３０，３１に摺動可能に支持される。
これによると、バッテリー本体２０の角部に凹部を持たない一般的なバッテリー構造にも、容易に適用することができ、高い汎用性が得られる。
【００５７】
また、各ポスト保護カバー３０，３１はそれぞれ、バッテリー本体２０と一体成形により形成することができる。これによると、バッテリー本体２０への各ポスト保護カバー３０，３１の取付作業を省くことができ、工数削減を図ることができる。
又は、各ポスト保護カバー３０，３１はそれぞれ、バッテリー本体２０と別体に着脱可能に形成することができる。これによると、バッテリー本体２０とは全く別に容易に成形することができ、コスト低減を図ることができる。
【００５８】
【発明の効果】
以上のように請求項１記載の発明によれば、バッテリー本体には、プラス極及びマイナス極のバッテリーポストと、各バッテリーポストをそれぞれ被覆するポスト保護カバーと、各ポスト保護カバー間を移動可能に設けられた可動カバーとを備える。各ポスト保護カバーにはそれぞれ、プラス極又はマイナス極に専用の所要形状にそれぞれ形成され、対応する極性のバッテリーターミナルのみを嵌挿可能なターミナル用開口が設けられる。
したがって、極性違いによる誤接続を確実に防止することができるとともに、良好な作業性を確保することができる。
また可動カバーは、マイナス極のバッテリーポストのポスト保護カバー側に移動された状態で、当該ポスト保護カバーのターミナル用開口及び作業用開口を閉塞させるとともに、プラス極のバッテリーポストのポスト保護カバーのターミナル用開口及び作業用開口を開放させる。また可動カバーは、プラス極のバッテリーポストのポスト保護カバー側に移動された状態で、当該ポスト保護カバーの作業用開口を閉塞させるとともに、マイナス極のバッテリーポストのポスト保護カバーのターミナル用開口及び作業用開口を開放させる。
したがって、極性によるバッテリーターミナルの接続順を規制することができ、作業時のショート及び感電等を確実に防止することができる。
請求項２記載の発明によれば、バッテリー本体には、プラス極及びマイナス極のバッテリーポストと、各バッテリーポストをそれぞれ被覆するポスト保護カバーと、各ポスト保護カバー間を移動可能に設けられた可動カバーとを備える。各ポスト保護カバーにはそれぞれ、プラス極又はマイナス極に専用の所要形状にそれぞれ形成され、対応する極性のバッテリーターミナルのみを嵌挿可能なターミナル用開口が設けられる。
また、バッテリー本体における各バッテリーポスト近傍にはそれぞれ、被係止部が設けられ、かつ、各バッテリーターミナルにおけるターミナル用開口への嵌挿方向先端にはそれぞれ、ポスト保護カバーの対応する各ターミナル用開口への各バッテリーターミナルの嵌挿に伴って、バッテリー本体の被係止部に係止される係止爪が設けられる。
したがって、極性違いによる誤接続を確実に防止することができるとともに、良好な作業性を確保することができる。
更に可動カバーは、マイナス極のバッテリーポストのポスト保護カバー側に移動された状態で、当該ポスト保護カバーのターミナル用開口及び作業用開口を閉塞させるとともに、プラス極のバッテリーポストのポスト保護カバーのターミナル用開口及び作業用開口を開放させる。また可動カバーは、プラス極のバッテリーポストのポスト保護カバー側に移動された状態で、当該ポスト保護カバーの作業用開口を閉塞させるとともに、マイナス極のバッテリーポストのポスト保護カバーのターミナル用開口及び作業用開口を開放させる。
したがって、極性によるバッテリーターミナルの接続順を規制することができ、作業時のショート及び感電等を確実に防止することができる。
請求項３記載の発明によれば、バッテリー本体には、プラス極及びマイナス極のバッテリーポストと、各バッテリーポストをそれぞれ被覆するポスト保護カバーと、各ポスト保護カバー間を移動可能に設けられた可動カバーとを備える。各ポスト保護カバーにはそれぞれ、プラス極又はマイナス極に専用の所要形状にそれぞれ形成され、対応する極性のバッテリーターミナルのみを嵌挿可能なターミナル用開口が設けられる。
また各バッテリーターミナルにはそれぞれ、回転防止用リブが、ターミナル用開口への嵌挿方向に沿って突設されており、かつ、各バッテリーターミナルに対応する各ターミナル用開口にはそれぞれ、回転防止用リブを嵌合されるリブ用溝が設けられる。
したがって、極性違いによる誤接続を確実に防止することができるとともに、良好な作業性を確保することができる。
更に可動カバーは、マイナス極のバッテリーポストのポスト保護カバー側に移動された状態で、当該ポスト保護カバーのターミナル用開口及び作業用開口を閉塞させるとともに、プラス極のバッテリーポストのポスト保護カバーのターミナル用開口及び作業用開口を開放させる。また可動カバーは、プラス極のバッテリーポストのポスト保護カバー側に移動された状態で、当該ポスト保護カバーの作業用開口を閉塞させるとともに、マイナス極のバッテリーポストのポスト保護カバーのターミナル用開口及び作業用開口を開放させる。
したがって、極性によるバッテリーターミナルの接続順を規制することができ、作業時のショート及び感電等を確実に防止することができる。
【図面の簡単な説明】
【図１】本発明の一実施形態であるバッテリーターミナルの接続構造のプラス極接続時の状態を示す要部斜視図である。
【図２】図１のバッテリーターミナルの接続構造のマイナス極接続時の状態を示す要部斜視図である。
【図３】図１のバッテリーターミナルの接続構造の極性による接続順を誤った時の状態を示す要部斜視図である。
【図４】図１のバッテリーターミナルの接続構造の被係止部及び係止爪を示す要部断面図である。
【図５】従来のバッテリーのコード端子接続構造を示す平面図である。
【図６】図５の要部斜視図である。
【符号の説明】
１０  電線端部
２０  バッテリー本体
２１，２２  バッテリーポスト
２３  螺合部材（固定用ナット）
２４  角部（左角部）
２５  角部（右角部）
２６  凹部
２７  被係止部
２８  アリ溝
３０，３１  ポスト保護カバー
３２，３３  ターミナル用開口
３２ａ，３３ａ  リブ用溝
３４  作業用開口
３５  可動カバー
３６  上面部
３７  側面部
３７ａ  切欠部
４０，４１  バッテリーターミナル
４２，４４  平板部
４３，４５  回転防止用リブ
４６  接続用溝
４７  係止爪
５０  開口閉塞部材（開口閉塞用ノブ）
５１  Ｏリング
５２  ツール装着部
【図１】
0003761144.tif 000002
【図２】
0003761144.tif 000003
【図３】
0003761144.tif 000004
【図４】
0003761144.tif 000005
【図５】
0003761144.tif 000006
【図６】
0003761144.tif 000007